(57)【要約】      （修正有）【課題】広範囲に磁性が作用し、同時にツボを刺激し、且つ使用しやすい貼付用磁性を提供する。【解決手段】針灸本体１１は基板１２を具有し、該基板中央には凸柱１３を形成し、該凸柱の先端には、先端部１４を形成し、並びに該凸柱中段には環溝１３１を形成する針灸本体であって、前記針灸本体の基板中央に形成する該凸柱の中段に形成する環溝へ嵌設するリング状磁石１５を設けるとともに、前記針灸本体の基板上に結合する粘着シート１６を設け、該粘着シートにより貼付用磁性１を人体のこっている部位又はツボへ貼り付け、該リング状磁石は広範囲の環状磁力線を形成して人体の広範囲に磁性が作用し、同時に凸柱の先端の先端部により人体へのツボを刺激する針灸及び磁性作用を兼ね備えることを特徴とする貼付用磁性の構造。【選択図】図２
0003108392.tif 000002
【実用新案登録請求の範囲】
【請求項１】
針灸本体は基板を具有し、該基板中央には凸柱を形成し、該凸柱の先端には、先端部を形成し、並びに該凸柱中段には環溝を形成する針灸本体であって、
前記針灸本体の基板中央に形成する該凸柱の中段に形成する環溝へ嵌設するリング状磁石を設けるとともに、前記針灸本体の基板上に結合する粘着シートを設け、
該粘着シートにより貼付用磁性を人体のこっている部位又はツボへ貼り付け、該リング状磁石は広範囲の環状磁力線を形成して人体の広範囲に磁性が作用し、同時に凸柱の先端の先端部により人体へのツボを刺激する針灸及び磁性作用を兼ね備えることを特徴とする貼付用磁性の構造。
【請求項２】
前記凸柱の先端部の形は必要とする規格にあわせ各種異なることを特徴とする請求項１に記載の貼付用磁性の構造。
【考案の詳細な説明】
【技術分野】
【０００１】
粘着シートの表面層を剥がして人体のこっている部位やツボへ貼り付け、人体の広範囲に磁性が作用し、同時に凸柱の先端部により人体のツボを刺激して、針灸及び磁性効果を有する貼付用磁性の構造に関する技術分野に属する。
【背景技術】
【０００２】
従来公知の貼付用磁性（２）は、特許文献１や、図７、８に示すように、一種球状磁性体（２１）を粘着シート（２２）の背面層（２２１）、粘着層（２２２）及び表面層（２２３）に覆われ、該表面層（２２３）を剥がした後、人体へ針灸治療の目的として貼り付けるものである。
【特許文献１】特開平５−１８４６８９号
【考案の開示】
【考案が解決しようとする課題】
【０００３】
しかしながら、従来公知の貼付用磁性の構造には下記の欠点があった。
１．該球状磁性体（２１）が小さいため、磁性が作用する範囲が狭く、且つ球状であるため、磁力線の範囲も狭い。
２．該球状磁性体（２１）は球状であるため、粘着シート（２２）へ結合後、人体の皮膚へ貼り付けるとき、該球状磁性体（２１）と粘着シート（２２）が接触する面が少なく、明らかに圧力が不足するため、ツボを推す（針灸）効果も良くない。
本考案は、上記構造の問題点を解決するためなされたもので、人体の皮膚へ貼り付けるとき磁性が作用する範囲が広く、磁性体と粘着シート（２２）が接触する面積を広くして、ツボを推す（針灸）効果も高める貼付用磁性の構造を提供するものである。
【課題を解決するための手段】
【０００４】
上記課題を解決するため、請求項１の考案は、針灸本体は基板を具有し、該基板中央には凸柱を形成し、該凸柱の先端には、先端部を形成し、並びに該凸柱中段には環溝を形成する針灸本体であって、前記針灸本体の基板中央に形成する該凸柱の中段に形成する環溝へ嵌設するリング状磁石を設けるとともに、前記針灸本体の基板上に結合する粘着シートを設け、該粘着シートにより貼付用磁性を人体のこっている部位又はツボへ貼り付け、該リング状磁石は広範囲の環状磁力線を形成して人体の広範囲に磁性が作用し、同時に凸柱の先端の先端部により人体へのツボを刺激する針灸及び磁性作用を兼ね備えることを特徴とする貼付用磁性の構造である。
請求項２の構造は、前記凸柱の先端部の形は必要とする規格にあわせ各種異なることを特徴とする請求項１に記載の貼付用磁性の構造である。
【考案の効果】
【０００５】
上記のように、本考案は、リング状磁石が比較的大きな環状磁力線を形成するため、人体の広範囲へ磁性が作用し、同時に該凸柱の先端の先端部が人体のツボを刺激する効果となり、針灸効果及び磁性効果を兼ね備えるという効果を奏する。
【考案を実施するための最良の形態】
【０００６】
本考案の実施例を図面に沿って説明する。
[実施例１]
図１、２、３及び４に示すように、本考案の実施例は、針灸本体１１、リング状磁石１５、及び粘着シート１６などにより構成する。
前記針灸本体１１は基板１２を具有し、並びに該基板１２の中央に凸柱１３を形成し、該凸柱１３の先端に先端部１４を形成し、並びに該凸柱１３中段に環溝１３１を形成し、該環溝１３１へ孔部１５１を具有するリング状磁石１５を嵌設し、該針灸本体１１の基板１２へ粘着シート１６を設け、該粘着シート１６は基板１２の背面へ背面層１６１、基板１２の上面へ粘着用の粘着層１６２、及び該粘着層１６２上へ表面層１６３を設け、該粘着シート１６の表面層１６３を剥がした後、人体の必要とする部位へ貼付用磁性１を貼り付ける。
【０００７】
前記リング状磁石１５は広範囲に環状磁力線１５２を形成し、人体の広範囲に磁性が作用し、同時に該凸柱１３の先端の先端部１４により人体のツボを刺激する効果となり、針灸及び磁性の作用を兼ね備える目的を達成し、且つ、該針灸本体１１の基板１２は一定の面積を具有し、粘着シート１６を人体の必要な部位に貼り付けたとき、粘着シート１６は基板の面積よりも大きく、凸柱１３の先端の先端部１４はツボを刺激する効果を具有し、針灸の効果を大幅に増加する。
【０００８】
[実施例２]
このほかの本考案の実施例を図５及び図６に示して説明する。
この実施例２は、凸柱１３の先端の先端部１４の形状が異なるもので、凸柱１３の先端の先端部１４の尖り具合はより曲率半径が大きく滑らかで、環溝１３１も深く設けてある。このように、凸柱１３の先端の先端部１４は必要とする各種異なる規格の先端部１４とすることができる。
【０００９】
上述したように、本考案の各実施例の貼付用磁性の構造は、磁性が作用する面積は広く、ツボを刺激する力も強く、且つ取り付け方法も簡単である。
なお、本考案の特徴を損なうものでなければ、上記実施例に限定されるものではないことは勿論である。
【図面の簡単な説明】
【００１０】
【図１】本考案の一実施例の立体図である。
【図２】本考案の実施例の断面図である。
【図３】本考案の実施例のリング状磁石の磁力線分布状態図である。
【図４】本考案の実施例の分解立体図である。
【図５】本考案のもう一つの実施例の立体図である。
【図６】本考案のもう一つの実施例の断面図である。
【図７】公知の構造の立体図である。
【図８】公知の構造の断面図である。
【符号の説明】
【００１１】
１、２          貼付用磁性
１１            針灸本体
１２            基板
１３            凸柱
１３１          環溝
１４、１７      先端部
１５            リング状磁石
１５１          孔部
１５２          磁力線
１６、２２      粘着シート
１６１、２２１  背面層
１６２、２２２  粘着層
１６３、２２３  表面層
２１            球状磁性体
【図１】
0003108392.tif 000003
【図２】
0003108392.tif 000004
【図３】
0003108392.tif 000005
【図４】
0003108392.tif 000006
【図５】
0003108392.tif 000007
【図６】
0003108392.tif 000008
【図７】
0003108392.tif 000009
【図８】
0003108392.tif 000010